(57)【要約】【課題】簡単な回路構成で放電灯の寿命末期と放電灯の装着の有無を確実に検出し、また、寿命末期で未装着検出のときには放電灯に二次電圧が繰り返し印加するのを防止する。【解決手段】放電灯１４に流れる直流分を検出する直流分検出回路により電圧ＶCを発生し、＋Ｖcc電源に、抵抗２７、ダイオード２８及び抵抗２９を直列に接続して電圧ＶAを発生し、抵抗３０、ダイオード３１及び抵抗３２を直列に接続して電圧ＶBを発生する。そして、通常は、ＶA＞ＶC＞ＶBとなるように設定している。電圧ＶAと電圧ＶBを第１のコンパレータ３６に入力し、ＶA＜ＶBにより放電灯の寿命末期を検出する。また、電圧ＶCと参照電圧Ｖrefを第２のコンパレータ３８に入力し、ＶC＞Ｖrefにより放電灯の未装着を検出する。起動時から点灯開始前までは装着検出を優先させ、点灯開始後は寿命末期検出を優先させる。【選択図】図１
2006269174.tif 000002
【特許請求の範囲】
【請求項１】
直流電源回路と；
直流電源回路から供給される直流電力を交流電力に変換するインバータ回路と；
インバータ回路の交流電力により付勢される放電灯と；
放電灯に流れる直流分を検出する直流分検出回路と；
直流分検出電圧により前記放電灯の寿命末期を検出する寿命末期検出回路と；
直流分検出電圧を予め設定した参照電圧、またはそれと同様な電圧を発生する検出値と比較し、放電灯の装着を検出する装着検出回路を備え、
前記装着検出回路と寿命末期検出回路とで、起動時から放電灯の点灯開始前までは装着検出回路による装着検出を優先させ、放電灯の点灯開始後からインバータ回路の発振が停止するまでは寿命末期検出回路による寿命末期検出を優先させたことを特徴とする放電灯点灯装置。
【発明の詳細な説明】
【技術分野】
【０００１】
本発明は、放電灯の寿命末期及び放電灯の装着の有無を検出できる放電灯点灯装置に関する。
【背景技術】
【０００２】
放電灯が寿命末期になると、半波放電を起こすようになり、放電灯に直流分が発生する。従って、放電灯に発生する直流分を検出することで放電灯が寿命末期になったか否かを検出できる。従来、このように放電灯に発生する直流分を検出して放電灯が寿命末期になったことを検出する放電灯点灯装置が知られている（例えば、特許文献１及び特許文献２参照）。
【特許文献１】特開２００２−２０３６９４
【特許文献２】特開２００１−２８４０８３
【発明の開示】
【発明が解決しようとする課題】
【０００３】
ところで、放電灯が半波放電を起こす場合は、一方のフィラメントから他方のフィラメントに半波放電する場合と、他方のフィラメントから一方のフィラメントに半波放電する場合との２種類があり、この両方向の半波放電を検出する必要がある。従来の放電灯点灯装置は、この両方向の半波放電を検出するのに、整流回路等を使用することになり、回路構成が複雑化する問題があった。
【０００４】
また、放電灯点灯装置において、放電灯の寿命末期検出とともに放電灯の装着の有無を検出する装着検出機能を持たせることが考えられる。この場合、例えば、点灯時において寿命末期検出に対して装着有無検出を優先させると、寿命末期の放電灯が装着されている状態で、この放電灯が外されると、放電灯の未装着が検出されてインバータ回路の出力が停止される。しかし、停止した後、インバータ回路は、再度、予熱、始動のシーケンスで制御を開始するようになる。そして、点灯時において再度放電灯の未装着が検出されてインバータ回路の出力が停止される。以後、この動作を繰り返すことになる。この結果、放電灯に何回も高電圧である二次電圧が印加されるという問題が発生する。
【０００５】
本発明は、このような問題を解決するために為されたもので、簡単な回路構成で放電灯の寿命末期を確実に検出できるとともに放電灯の装着の有無を確実に検出でき、しかも、寿命末期検出時の未装着検出において放電灯に繰り返し二次電圧が印加されるような事態を防止できる放電灯点灯装置を提供する。
【課題を解決するための手段】
【０００６】
請求項１記載の発明は、直流電源回路と、直流電源回路から供給される直流電力を交流電力に変換するインバータ回路と、インバータ回路の交流電力により付勢される放電灯と、放電灯に流れる直流分を検出する直流分検出回路と、直流分検出電圧により放電灯の寿命末期を検出する寿命末期検出回路と、直流分検出電圧を予め設定した参照電圧、またはそれと同様な電圧を発生する検出値と比較し、放電灯の装着を検出する装着検出回路を備え、装着検出回路と寿命末期検出回路とで、起動時から放電灯の点灯開始前までは装着検出回路による装着検出を優先させ、放電灯の点灯開始後からインバータ回路の発振が停止するまでは寿命末期検出回路による寿命末期検出を優先させた放電灯点灯装置にある。
【０００７】
放電灯が寿命末期になると、半波放電状態になり、一方のフィラメントから他方のフィラメント、あるいは他方のフィラメントから一方のフィラメントに直流分が流れるようになる。直流分検出回路はこの直流分を検出する。そして、直流分検出電圧により、寿命末期検出回路は放電灯の寿命末期を検出する。また、予熱時には放電灯の各フィラメントに予熱電流が流れるが、このとき半波放電状態と同じような電圧状態になるので、正常な放電灯に対して寿命末期検出を行う虞がある。
【０００８】
従って、起動時から放電灯の点灯開始前までは装着検出回路による放電灯の装着検出が優先する。従って、このときには、放電灯が寿命末期にあっても寿命末期検出を行うことはない。これにより、正常な放電灯に対して寿命末期検出を行うという誤動作を防止する。そして、放電灯が点灯した後は寿命末期検出回路による放電灯の寿命末期検出が優先されるので、放電灯が寿命末期になっていれば、あるいは、放電灯が点灯中に寿命末期になれば、直ちに、寿命末期検出回路は放電灯の寿命末期を検出し、寿命末期検出による対処が行われる。
【発明の効果】
【０００９】
本発明によれば、簡単な回路構成で放電灯の寿命末期を確実に検出できるとともに放電灯の装着の有無を確実に検出でき、しかも、寿命末期検出時の未装着検出において放電灯に繰り返し二次電圧が印加されるような事態を防止できる放電灯点灯装置を提供できる。
【発明を実施するための最良の形態】
【００１０】
以下、本発明の実施の形態を、図面を参照して説明する。  
（第１の実施の形態）
図１に示すように、交流電源１にダイオードブリッジからなる全波整流器２の入力端子を接続し、この全波整流器２の出力端子に、コンデンサ３を並列に接続するとともに、昇圧チョッパ回路からなる直流電源回路４を接続している。
【００１１】
前記直流電源回路４は、全波整流器２の出力端子に第１のインダクタ５を介してスイッチング素子である第１のＭＯＳ型ＦＥＴ（電界効果トランジスタ）６を並列に接続し、この第１のＭＯＳ型ＦＥＴ６にダイオード７を順極性に介して平滑コンデンサ８を並列に接続してなり、前記全波整流器２から出力される脈流電圧を所望の直流電圧に変換している。
【００１２】
前記直流電源回路４の出力端子、すなわち、前記平滑コンデンサ８にインバータ回路９を接続している。前記インバータ回路９は、１対のスイッチング素子として、第２、第３のＭＯＳ型ＦＥＴ１０、１１を備え、この各ＭＯＳ型ＦＥＴ１０、１１の直列回路を前記平滑コンデンサ８に並列に接続している。
【００１３】
前記インバータ回路９の第３のＭＯＳ型ＦＥＴ１１におけるドレイン、ソースの各端子に、バラスト用の第２のインダクタ１２及び直流カット用コンデンサ１３を直列に介して放電灯１４のフィラメント１４ａ，１４ｂの一端をそれぞれ接続している。そして、前記放電灯１４のフィラメント１４ａ，１４ｂの他端間に共振用コンデンサ１５と抵抗１６との並列回路を接続し、この共振用コンデンサ１５と第２のインダクタ１２と放電灯１４によって共振回路を形成している。
【００１４】
前記第２のＭＯＳ型ＦＥＴ１０に、前記インダクタ１２及び直流カット用コンデンサ１３を直列に介して抵抗１７を並列に接続している。  
前記第３のＭＯＳ型ＦＥＴ１１にコンデンサ１８を介して定電圧ダイオード１９を逆極性にして並列に接続し、この定電圧ダイオード１９にダイオード２０を順極性に介して平滑コンデンサ２１を並列に接続して＋Ｖcc電源を形成している。
【００１５】
２２は直流分検出回路で、この直流分検出回路２２は、前記放電灯１４のフィラメント１４ａ，１４ｂの一端間に抵抗２３、２４、２５の直列回路を接続し、前記抵抗２５にコンデンサ２６を並列に接続している。前記コンデンサ２６は、インバータ回路９からの高周波成分によっては充電せず、直流成分か直流成分に近い低周波成分によって充電するような容量に設定されている。
【００１６】
また、前記＋Ｖcc電源、すなわち、前記平滑コンデンサ２１に、抵抗２７、順極性のダイオード２８及び抵抗２９の直列回路を並列に接続するとともに抵抗３０、順極性のダイオード３１及び抵抗３２の直列回路を並列に接続している。また、前記＋Ｖcc電源に、電圧重畳回路を形成する抵抗３３を直列に介して直流分検出回路２２の抵抗２５とコンデンサ２６との並列回路を並列に接続している。
【００１７】
前記直流分検出回路２２の抵抗２４と抵抗２５との接続点に、前記抵抗２７とダイオード２８のアノードとの接続点を、ダイオード３４を順極性に介して接続するとともに、前記ダイオード３１のカソードと抵抗３２との接続点を、ダイオード３５を逆極性に介して接続している。前記抵抗２７、２９、３０、３２およびダイオード２８、３１、３４、３５からなる回路は電圧設定回路を形成している。
【００１８】
前記ダイオード２８と抵抗２９との接続点に発生する電圧ＶAを、寿命末期検出回路を構成する第１のコンパレータ３６の非反転入力端子(+)に入力し、前記抵抗３０とダイオード３１との接続点に発生する電圧ＶBを前記第１のコンパレータ３６の反転入力端子(-)に入力している。そして、前記第１のコンパレータ３６の出力を制御部３７に供給している。
【００１９】
前記電圧ＶA、ＶB、ＶCの大小関係は、放電灯１４が正常に点灯している状態で、図２に示すように、ＶA＞ＶC＞ＶBとなるように設定している。そして、ＶAとＶCとの間、ＶCとＶBとの間は、放電灯１４の半波放電による電圧ＶCのレベル変化を検出できるように所定の電圧幅になっている。
【００２０】
また、前記抵抗２４と抵抗２５との接続点に発生する電圧ＶCを、装着検出回路を構成する第２のコンパレータ３８の非反転入力端子(+)に入力し、予め設定された参照電圧Ｖrefを前記第２のコンパレータ３８の反転入力端子(-)に入力している。前記参照電圧Ｖrefは、放電灯１４の装着状態を判定するための電圧で、電圧ＶAに比べてかなり高い電圧に設定されている。なお、参照電圧Ｖrefに代えて、この参照電圧と同様な電圧を発生する回路部からの検出値を使用してもよい。前記第２のコンパレータ３８の出力を前記制御部３７に供給している。
【００２１】
前記制御部３７は、マイクロプロセッサ等を備え、前記＋Ｖcc電源を電源として入力している。この制御部３７は、直流電源回路４のＭＯＳ型ＦＥＴ６をスイッチング制御するとともに、インバータ回路９の各ＭＯＳ型ＦＥＴ１０、１１を交互にスイッチング制御する。
【００２２】
前記制御部３７は、また、内部にタイマＡを設け、このタイマＡが時間をカウントしている期間は、前記第１のコンパレータ３６からの出力の取り込みを行わず、前記第２のコンパレータ３８からの出力を優先して取り込んで放電灯１４の装着の有無を判断する。タイマＡがタイムアウトすると、第１のコンパレータ３６からの出力を取り込んで放電灯１４の寿命末期を判断する。そして、放電灯１４の寿命末期の判断による制御を、放電灯１４の装着有無の判断による制御に対し優先するようにしている。
【００２３】
前記タイマＡは、電源１の投入によって起動されてから、放電灯１４に対する予熱が行われて放電灯が点灯を開始するまで、すなわち、設定された予熱期間が終了するまでの時間をカウントしてタイムアウトするように設定されている。
【００２４】
このような構成においては、交流電源１を投入すると、全波整流器２から脈流電圧が出力し直流電源回路４に供給される。直流電源回路４では第１のＭＯＳ型ＦＥＴ６がスイッチング駆動され、ＦＥＴ６がオンのときに第１のインダクタ５にエネルギーが蓄積され、この蓄積されたエネルギーがＦＥＴ６のオフのときにダイオード７を介して放出され平滑コンデンサ８を充電する。こうして、平滑コンデンサ８から所望の直流電圧が出力されてインバータ回路９に供給される。また、起動されると制御部３７のタイマＡが時間カウントを開始する。
【００２５】
インバータ回路９ではＭＯＳ型ＦＥＴ１０、１１が交互にスイッチング駆動され、たとえば、２０ｋＨｚ〜１００ｋＨｚの間に設定された高周波の交流電力を出力する。放電灯１４が点灯する前は、共振用コンデンサ１５を介して放電灯１４のフィラメント１４ａ，１４ｂに予熱電流が流れる。その後、放電灯１４のフィラメント１４ａ，１４ｂ間に高電圧を印加し、これにより、放電灯１４は点灯する。
【００２６】
一方、交流電源１が投入されてインバータ回路が動作を開始すると、平滑コンデンサ２１の両端間に＋ＶCC電圧が発生し、ダイオード２８と抵抗２９との接続点に電圧ＶAが発生し、抵抗３０とダイオード３１との接続点に電圧ＶBが発生する。この各電圧ＶA、ＶBは第１のコンパレータ３６に入力する。これにより第１のコンパレータ３６からＨレベルあるいはＬレベルの出力が送出される。
【００２７】
しかし、このときにはタイマＡが時間をカウントしているので、制御部３７は第１のコンパレータ３６からの出力を取り込むことはない。これにより、放電灯１４が点灯を開始するまでは放電灯１４の寿命末期の判断は行われない。従って、予熱期間において放電灯１４が寿命末期における半波放電のときと同じような電圧状態になったとしても、誤って寿命末期の判断を行うという誤動作を避けることができる。
【００２８】
また、直流分検出回路２２の抵抗２４と抵抗２５との接続点に電圧ＶCが発生し、第２のコンパレータ３８に入力する。これにより第２のコンパレータ３８は電圧ＶCと参照電圧Ｖrefを比較し、放電灯１４の装着状態を判断する。従って、起動時において放電灯１４が装着されていなければ、電圧ＶCが高くなるので第２のコンパレータ３８の出力はＨレベルとなり、制御部３７は放電灯１４が未装着になっていることを判断し、インバータ回路９の発振を停止させて回路を安全サイドに保護する。
【００２９】
放電灯１４が正常に装着されていれば、放電灯１４は、予熱後の始動により点灯を開始するようになる。予熱期間が終了するとタイマＡは時間カウントを終了してタイムアウトする。これにより、制御部３７は第１のコンパレータ３６からの出力を取り込むようになる。そして、放電灯１４の点灯開始後は、第１のコンパレータ３６からの出力による放電灯１４の寿命末期検出が放電灯１４の装着検出に優先する。
【００３０】
第１のコンパレータ３６には電圧ＶAと電圧ＶBが入力されるが、放電灯１４が定常点灯動作している状態ではこれらの電圧ＶA、ＶBと抵抗２４と抵抗２５との接続点に発生する電圧ＶCとの関係は、図２に示すように、ＶA＞ＶC＞ＶBになる。また、＋Ｖcc電源に、抵抗３３を直列に介して直流分検出回路２２の抵抗２５とコンデンサ２６との並列回路を並列に接続しているので、電圧ＶA、ＶC、ＶBは全体に正電圧側に偏っており、従って、電圧ＶBは０Ｖよりも充分に高い電圧になる。しかも、電圧ＶAとＶCとの間、電圧ＶCとＶBとの間は、定常点灯時に電圧ＶCが多少変動しても誤って寿命末期の検出を行わないように所定の電圧幅になっている。
【００３１】
従って、放電灯１４が正常に点灯動作しているときには、ＶA＞ＶBと設定されるので、第１のコンパレータ３６の出力はＨレベルになる。この状態では制御部３７は第１のコンパレータ３６の出力を取込んで放電灯１４が正常に動作していることを判断する。
【００３２】
しかし、放電灯１４がフィラメントのエミッタの損耗等によって寿命末期になると、ランプ電流の流れが一方に片寄るようになり、半波放電現象を生じる。例えば、フィラメント１４ａからフィラメント１４ｂへ流れるランプ電流が多くなる半波放電であればコンデンサ２６の充電電荷が定常点灯時に比べて増加し電圧ＶCはレベルを上昇する方向に変化する。逆に、フィラメント１４ｂからフィラメント１４ａへ流れるランプ電流が多くなる半波放電であればコンデンサ２６の充電電荷が定常点灯時に比べて減少し電圧ＶCはレベルを低下する方向に変化する。
【００３３】
ダイオード３１と抵抗３２との接続点を、ダイオード３５を逆極性に介して直流分検出回路２２の抵抗２４と抵抗２５との接続点に接続しているので、電圧ＶCのレベルが上昇する方向に変化すると、電圧ＶBも上昇し、電圧ＶAと電圧ＶBのレベルが逆転してＶA＜ＶBとなる。これにより、第１のコンパレータ３６の出力はＨレベルからＬレベルに反転するので、制御部３７は放電灯１４が寿命末期になったことを判断する。
【００３４】
また、抵抗２７とダイオード２８との接続点を、ダイオード３４を順極性に介して直流分検出回路２２の抵抗２４と抵抗２５との接続点に接続しているので、電圧ＶCのレベルが低下する方向に変化すると、電圧ＶAも低下し、電圧ＶAと電圧ＶBのレベルが逆転してＶA＜ＶBとなる。これにより、第１のコンパレータ３６の出力はＨレベルからＬレベルに反転するので、制御部３７は放電灯１４が寿命末期になったことを判断する。
【００３５】
このように、放電灯１４が点灯中に寿命末期になっていずれの方向に半波放電しても第１のコンパレータ３６の出力はＨレベルからＬレベルに反転し、制御部３７は放電灯１４が寿命末期になったことを判断する。放電灯１４の寿命末期を判断すると、制御部３７はインバータ回路９の発振周波数を制御して出力を低下、または停止させる。このような制御によって放電灯１４の半波放電状態は停止される。
【００３６】
また、制御部３７は、放電灯１４が正常に点灯しているときには、第１のコンパレータ３６の出力はＨレベルにあり寿命末期検出を行わず、また、電圧ＶCは参照電圧Ｖrefよりも低く、第２のコンパレータ３８の出力はＬレベルにあり装着状態にあることを判断する。また、放電灯１４が正常に点灯している状態で、例えば、放電灯１４が外されることがあると、あるいはフィラメントが断線することがあると、負荷の状態が無負荷状態になり、インバータ回路９の出力電圧は低下せずに高い状態を維持する。このときには、電圧ＶCは高く、ＶC＞Ｖrefとなり、制御部３７は放電灯１４の未装着状態を判断し、インバータ回路９の発振を停止させて回路を安全サイドに保護する。
【００３７】
また、放電灯１４の点灯開始後において寿命末期の放電灯が外されることがあると、このときには、先ず、寿命末期検出が優先されてインバータ回路９の出力が低下、または停止制御される。そして、この状態で放電灯１４の未装着検出が行われる。この未装着検出時には直流分検出電圧ＶCは安定しているので、放電灯の未装着検出は確実に行われる。しかも、寿命末期検出によってインバータ回路９の出力が低下、または停止制御されるので、未装着検出が行われてもインバータ回路が再起動することは無く、従って、点灯時において放電灯１４に繰り返し二次電圧が印加されるような事態を防止できる。
【００３８】
このように、起動されてから放電灯が点灯を開始する前までは、放電灯１４の寿命末期検出に対し、放電灯１４の装着検出を優先するので、例えば、予熱中に寿命末期を判断するような誤動作を防止できる。また、放電灯１４が点灯を開始した後は放電灯１４の寿命末期検出を放電灯１４の装着検出に優先させているので、寿命末期の放電灯が外されたときに高い二次電圧が繰り返し発生するのを防止でき、安全性を高めることができる。
【００３９】
また、放電灯の点灯開始後は、放電灯１４の寿命末期を確実に検出できる。また、電圧ＶCのレベル変化を放電灯１４の寿命末期の検出のみでなく、参照電圧Ｖrefと比較することで放電灯１４の未装着状態の検出にも使用している。これにより全体としての回路構成をさらに簡単にできる。
【００４０】
（第２の実施の形態）
なお、この実施の形態は寿命末期検出回路の変形例について述べる。その他の構成は前述した実施の形態と同一である。  
図３に示すように、放電灯１４のフィラメント電極１４ａ、１４ｂ間に、抵抗４１、４２及びコンデンサ４３の直列回路を並列に接続している。また、＋Ｖcc電源に抵抗４４、４５及び４６の直列回路と抵抗４７及び４８の直列回路を並列に接続している。そして、前記抵抗４２とコンデンサ４３との接続点と前記抵抗４７と抵抗４８との接続点を接続している。
【００４１】
また、１対のコンパレータ４９、５０を設け、一方のコンパレータ４９の非反転入力端子(+)に前記抵抗４４と抵抗４５との接続点を接続し、他方のコンパレータ５０の反転入力端子(-)に前記抵抗４５と抵抗４６との接続点を接続している。前記一方のコンパレータ４９の反転入力端子(-)と他方のコンパレータ５０の非反転入力端子(+)を互いに接続し、この接続点に前記抵抗４７と抵抗４８との接続点を、抵抗５１を直列に介して接続している。前記抵抗４１、４２及びコンデンサ４３の直列回路とこのコンデンサ４３に並列に接続した抵抗４８とで直流分検出回路を形成している。
【００４２】
そして、前記一方のコンパレータ４９の出力端子にダイオード５２のカソードを接続し、前記他方のコンパレータ５０の出力端子にダイオード５３のカソードを接続し、前記各ダイオード５２、５３のアノードを互いに接続し、その接続点に発生する信号を制御部３７に供給している。
【００４３】
前記各コンパレータ４９、５０は一種のウインドウコンパレータで寿命末期検出回路を形成している。この寿命末期検出回路は、各コンパレータ４９、５０の出力が、両方ともＬレベルのときか一方がＬレベルのときには制御部３７に供給される信号はＬレベルとなり、両方ともＨレベルのときには前記制御部３７に供給される信号はＨレベルとなる。そして、放電灯１４が正常に点灯している状態では、抵抗４４と抵抗４５との接続点に発生する電圧ＶAと、抵抗４５と抵抗４６との接続点に発生する電圧ＶBと、抵抗４７と抵抗４８との接続点に発生する電圧ＶCとの関係は、ＶA＞ＶC＞ＶBになるように設定されている。
【００４４】
この回路においても電圧ＶA、ＶC、ＶBは＋ＶCC電源によって全体に正電圧側に偏っており、電圧ＶBは０Ｖよりも充分に高い電圧になっている。また、電圧ＶAとＶCとの間、電圧ＶCとＶBとの間は、定常点灯時に電圧ＶCが多少変動しても誤って寿命末期の検出を行わないように所定の電圧幅になっている。
【００４５】
放電灯１４の点灯時に、電圧ＶA、ＶB、ＶCが、ＶA＞ＶC＞ＶBの関系にあるときには、両方のコンパレータ４９、５０がＨレベルを出力するので、制御部３７は、Ｈレベル信号を取込み、放電灯１４が正常に点灯していることを判断する。
【００４６】
しかし、放電灯１４が寿命末期になって半波放電するようになると、半波放電の方向によって、ＶC＞ＶA、あるいはＶB＞ＶCとなる。例えば、フィラメント１４ａからフィラメント１４ｂに流れるランプ電流が多くなると、電圧ＶCのレベルが上昇してＶC＞ＶAとなる。このときには、コンパレータ４９の出力がＬレベルに反転し、制御部３７に供給される信号がＬレベルになる。これにより、制御部３７は放電灯１４の寿命末期を検出する。また、フィラメント１４ｂからフィラメント１４ａに流れるランプ電流が多くなると、電圧ＶCのレベルが低下してＶB＞ＶCとなる。このときには、コンパレータ５０の出力がＬレベルに反転し、制御部３７に供給される信号がＬレベルになる。これにより、制御部３７は放電灯１４の寿命末期を検出する。
【００４７】
このような構成においても、予熱中に寿命末期を判断するような誤動作を防止でき点、放電灯１４の点灯開始後において寿命末期の放電灯が外されたときに高い二次電圧が繰り返し発生するのを防止できる点、放電灯１４の点灯開始後において放電灯の寿命末期を確実に検出できる点、電圧ＶCのレベル変化を放電灯の寿命末期の検出と放電灯の未装着状態の検出の両方に使用することで回路構成をさらに簡単にできる点においては、前述した実施の形態と同様の作用効果を奏するものである。
【００４８】
（第３の実施の形態）
この実施の形態は、前述した各実施の形態に記載した放電灯点灯装置のいずれかを有する照明装置について述べる。  
図４に示すように内側に反射面を形成した照明器具１０１の内側の両端部にソケット１０２ａ、１０２ｂを設け、この各ソケット１０２ａ、１０２ｂに放電灯１４を装填している。また、前記照明器具１０１の中央裏面部に放電灯点灯装置１０３を組み込んでいる。この放電灯点灯装置１０３の構成は、前述した各実施の形態に記載した放電灯点灯装置のいずれかの構成になっている。
【００４９】
このように、前述した各実施の形態に記載した放電灯点灯装置のいずれかを使用することで、簡単な回路構成で放電灯１４の寿命末期を確実に検出でき、また、放電灯の未装着状態も検出でき、しかも、全体としての回路構成を簡単にできる照明装置が実現できる。
【図面の簡単な説明】
【００５０】
【図１】本発明の、第１の実施の形態に係る放電灯点灯装置の回路構成を示す図。
【図２】同実施の形態において放電灯が正常に点灯しているときの寿命末期検出回路において発生する電圧ＶA、ＶB、ＶCのレベル関係を示す図。
【図３】本発明の、第２の実施の形態に係る放電灯点灯装置の要部の回路構成を示す図。
【図４】本発明の、第３の実施の形態に係る照明装置の外観を示す斜視図。
【符号の説明】
【００５１】
４…直流電源回路、９…インバータ回路、１４…放電灯、２３，２４，２５，２７，２９，３０，３２，３３…抵抗、２６…コンデンサ、２８，３１，３４，３５…ダイオード、３６…第１のコンパレータ（寿命末期検出回路）、３７…制御部、３８…第２のコンパレータ（装着検出回路）。
【図１】
2006269174.tif 000003
【図２】
2006269174.tif 000004
【図３】
2006269174.tif 000005
【図４】
2006269174.tif 000006